(57)【特許請求の範囲】
【請求項１】
立体状の商品見本を嵌合保持する複数の係合穴を有するディスプレイ台に取付けられる商品見本展示用アタッチメントであって、前記ディスプレイ台の係合穴に係合する係合部を有する取付基台、及び前記取付基台に連なり平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示することを特徴とする商品見本展示用アタッチメント。
【請求項２】
請求項１記載の商品見本展示用アタッチメントにおいて、前記保持溝は、その内壁が互い違いに噛み合う鋸歯状であって、対向する鋸歯の先端の間にシート状商品見本の厚みと略一致する微小間隙が生じるように形成されてなることを特徴とする商品見本展示用アタッチメント。
【請求項３】
請求項２記載の商品見本展示用アタッチメントにおいて、前記保持溝の内壁に互い違いに噛み合うように形成された鋸歯のうち、少なくとも保持溝の左右端部と中央部における対向する鋸歯の先端の間の間隔がシート状商品見本の厚みと略一致する狭幅とし、他の領域における対向する鋸歯の先端の間の間隔をシート状商品見本の厚みに対して比較的広い広幅としたことを特徴とする商品見本展示用アタッチメント。
【請求項４】
請求項１乃至請求項３のいずれかに記載の商品見本展示用アタッチメントにおいて、前記取付基台には立体状の商品見本を嵌合保持する係合穴部が形成されていることを特徴とする商品見本展示用アタッチメント。
【請求項５】
請求項１乃至請求項４のいずれかに記載の商品見本展示用アタッチメントにおいて、商品見本展示用アタッチメントは透明なプラスチックにより形成されていることを特徴とする商品見本展示用アタッチメント。
【請求項６】
本体キャビネットの前面を開閉する外扉に形成されたディスプレイ室内に配設され、立体状の商品見本を嵌合保持する複数の係合穴を有するディスプレイ台と、前記ディスプレイ台の係合穴に係合する係合部を有する取付基台、及び前記取付基台に連なり平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示する商品見本展示用アタッチメントを備え、前記ディスプレイ台の係合穴に商品見本展示用アタッチメントの取付基台の係合部を係合させて取付けたうえで、商品見本展示用アタッチメントの保持溝にシート状商品見本の下端を装着して展示したことを特徴とする自動販売機の商品見本展示装置。
【請求項７】
請求項６記載の自動販売機の商品見本展示装置において、前記シート状商品見本は左右側縁に切欠を有することを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に商品見本を展示する際に用いられる商品見本展示用アタッチメント、及びこの商品見本展示用アタッチメントを適用した自動販売機の商品見本展示装置に関するものである。
【背景技術】
【０００２】
この種の従来の自動販売機の商品見本展示装置について図７を用いて説明する。図７は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。さらに、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている。
【０００４】
前記ディスプレイ台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には商品見本８０を嵌合保持する係合穴が左右方向に複数並設されている。また、商品載置台の前面壁には各商品見本８０に対応する商品のコールド，ホット状態を表す冷温パターンを表示する冷温表示板および商品の価格情報を表示する価格表示板が装着される。なお、前記冷温表示板，価格表示板に替えて液晶ディスプレイ（ＬＣＤ）を備えた商品情報デジタルディスプレイを用いて冷温表示（寒色である青色，暖色である赤色）を行うとともに価格表示を行うものも知られている。
【０００５】
前記商品見本８０は光透過材料により形成された中空状の本体の底面に光導入部を設け、前記光導入部から本体の内部に光を導入して本体を内側から照明するように構成されている。前記商品見本８０は前記ディスプレイ台７０に形成した係合穴に嵌合保持されると、ディスプレイ台７０の内部に設けた照明光源からの光がディスプレイ台７０の係合穴と商品見本８０の底部に形成した光導入部とを通して中空状の商品見本の内部に照射され、商品見本が恰も発光しているように展示されることは周知である。前記商品見本８０は立体、具体的には、缶，瓶，ペットボトルなどの容器形状に一致させた中空状の本体を備えた商品見本や、前記中空状の本体を半分に切断した半割り状の商品見本などがディスプレイ台７０に形成した開口部に嵌合保持するようにされている。前記商品見本８０は、前述したように、缶，瓶，ペットボトルなどの容器形状に一致させた中空状の本体を備えた立体状のもの、前記中空状の本体を半分に切断した半割り状のものなどが一般的であるが、ディスプレイ台７０の係合穴に嵌合させることができない、例えば、缶，瓶，ペットボトルなどの容器から中身飲料などを抜いた空容器などを展示する場合には、ディスプレイ台７０の係合穴に着脱自在な商品見本展示用アタッチメントを用いて空容器を展示するように構成されている（例えば、特許文献１）。
【先行技術文献】
【特許文献】
【０００６】
【特許文献１】特開２００８−２４２５０５号公報
【発明の概要】
【発明が解決しようとする課題】
【０００７】
ところで、特許文献１に記載された立体状の商品見本に加え、プラスチックシートに商品の外観意匠を印刷した矩形平板状のシート状商品見本が知られており、このシート状商品と立体状の商品見本を同一のディスプレイ台に並べて展示することが望まれている。しかしながら、シート状商品見本は立体状の商品見本のようにディスプレイ台の開口部に直接嵌合させることが困難である。このため、シート状商品見本を保持するとともにディスプレイ台の開口部と係合する係合部を備えた商品見本展示用アタッチメントを設けることが考えられる。ところが、シート状商品見本は剛性の弱い薄いプラスチックシートからなることからシート状商品見本の下端のみを保持した場合にはシート状商品見本は起立姿勢を維持することができずに折れ曲がってしまう。このため、商品見本展示用アタッチメントを細長いシート状商品見本の周縁を保持するような大形のものとせねばならず、コストが嵩むという課題を有する。
【０００８】
そこで、本発明は上記の点に鑑みなされたものであり、その目的は前記課題を解決し、シート状商品見本の一部のみを保持した場合にもシート状商品見本の姿勢を維持してディスプレイ台に展示することが可能な商品見本展示用アタッチメント、及び自動販売機の商品見本展示装置を提供することにある。
【課題を解決するための手段】
【０００９】
上記目的を達成するため請求項１に係る商品見本展示用アタッチメントは、立体状の商品見本を嵌合保持する複数の係合穴を有するディスプレイ台に取付けられる商品見本展示用アタッチメントであって、前記ディスプレイ台の係合穴に係合する係合部を有する取付基台、及び前記取付基台に連なり平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示することを特徴とする。
【００１０】
また、請求項２に係る商品見本展示用アタッチメントは、請求項１に係る商品見本展示用アタッチメントにおいて、前記保持溝は、その内壁が互い違いに噛み合う鋸歯状であって、対向する鋸歯の先端の間にシート状商品見本の厚みと略一致する微小間隙が生じるように形成されてなることを特徴とする。
【００１１】
また、請求項３に係る商品見本展示用アタッチメントは、請求項２に係る商品見本展示用アタッチメントにおいて、前記保持溝の内壁に互い違いに噛み合うように形成された鋸歯のうち、少なくとも保持溝の左右端部と中央部における対向する鋸歯の先端の間の間隔がシート状商品見本の厚みと略一致する狭幅とし、他の領域における対向する鋸歯の先端の間の間隔をシート状商品見本の厚みに対して比較的広い広幅としたことを特徴とする。
【００１２】
また、請求項４に係る商品見本展示用アタッチメントは、請求項１乃至請求項３のいずれかに係る商品見本展示用アタッチメントにおいて、前記取付基台には立体状の商品見本を嵌合保持する係合穴部が形成されていることを特徴とする。
【００１３】
また、請求項５に係る商品見本展示用アタッチメントは、請求項１乃至請求項４のいずれかに係る商品見本展示用アタッチメントにおいて、商品見本展示用アタッチメントは透明なプラスチックにより形成されていることを特徴とする。
【００１４】
また、請求項６に係る自動販売機の商品見本展示装置は、本体キャビネットの前面を開閉する外扉に形成されたディスプレイ室内に配設され、立体状の商品見本を嵌合保持する複数の係合穴を有するディスプレイ台と、前記ディスプレイ台の係合穴に係合する係合部を有する取付基台、及び前記取付基台に連なり平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示する商品見本展示用アタッチメントを備え、前記ディスプレイ台の係合穴に商品見本展示用アタッチメントの取付基台の係合部を係合させて取付けたうえで、商品見本展示用アタッチメントの保持溝にシート状商品見本の下端を装着して展示したことを特徴とする。
【００１５】
また、請求項７に係る自動販売機の商品見本展示装置は、請求項６に係る自動販売機の商品見本展示装置において、前記シート状商品見本は左右側縁に切欠を有することを特徴とする。
【発明の効果】
【００１６】
本発明の請求項１に係る商品見本展示用アタッチメントによれば、立体状の商品見本を嵌合保持する複数の係合穴を有するディスプレイ台に取付けられる商品見本展示用アタッチメントであって、前記ディスプレイ台の係合穴に係合する係合部を有する取付基台、及び前記取付基台に連なり平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示することにより、前記保持溝に下端を装着されたシート状商品見本は保持溝の湾曲に倣って湾曲するので、シート状商品見本が可撓性の薄いプラスチックシートからなる場合にもその剛性を高めることができ、シート状商品見本を安定した起立姿勢で展示することができる。
【００１７】
また、請求項２に係る商品見本展示用アタッチメントは、請求項１に係る商品見本展示用アタッチメントにおいて、前記保持溝は、その内壁が互い違いに噛み合う鋸歯状であって、対向する鋸歯の先端の間にシート状商品見本の厚みと略一致する微小間隙が生じるように形成されてなることにより、商品見本展示用アタッチメントを透明なプラスチック成形品とした場合にも薄いプラスチックシートからなるシート状商品見本を保持可能な一条の微小間隙を形成することが可能となる。
【００１８】
また、請求項３に係る商品見本展示用アタッチメントは、請求項２に係る商品見本展示用アタッチメントにおいて、前記保持溝の内壁に互い違いに噛み合うように形成された鋸歯のうち、少なくとも保持溝の左右端部と中央部における対向する鋸歯の先端の間の間隔がシート状商品見本の厚みと略一致する狭幅とし、他の領域における対向する鋸歯の先端の間の間隔をシート状商品見本の厚みに対して比較的広い広幅としたことにより、シート状商品見本を保持する狭幅部分が３箇所に分散されているので、一条の保持溝が連続した微小間隙で形成されている場合に比較してシート状商品見本の挿入を容易に行うことができる。
【００１９】
また、請求項４に係る商品見本展示用アタッチメントは、請求項１乃至請求項３のいずれかに係る商品見本展示用アタッチメントにおいて、前記取付基台には立体状の商品見本を嵌合保持する係合穴部が形成されていることにより、商品見本展示用アタッチメントをディスプレイ台に取付けた状態で当該商品見本展示用アタッチメントに立体状の商品見本を展示することができ、その場合、商品見本展示用アタッチメントの保持部における保持溝に広告宣伝用の表示部材を装着することにより販売促進を図ることができる。
【００２０】
また、請求項５に係る商品見本展示用アタッチメントは、請求項１乃至請求項４のいずれかに係る商品見本展示用アタッチメントにおいて、商品見本展示用アタッチメントは透明なプラスチックにより形成されていることにより、保持部における保持溝に装着されたシート状商品見本の意匠が隠れてしまうことを防止することができる。
【００２１】
また、請求項６に係る自動販売機の商品見本展示装置は、本体キャビネットの前面を開閉する外扉に形成されたディスプレイ室内に配設され、立体状の商品見本を嵌合保持する複数の係合穴を有するディスプレイ台と、前記ディスプレイ台の係合穴に係合する係合部を有する取付基台、及び前記取付基台に連なり平板状に復元可能な可撓性を有するシート状商品見本の下端を保持する一条の保持溝を有し、かつ、前記一条の保持溝を前方側に凸となるように湾曲状に形成した保持部とからなり、前記保持溝に挿入されたシート状商品見本の下端をその湾曲に倣って前方側に凸となるように湾曲させた状態で保持することによりシート状商品見本を起立姿勢に維持して展示する商品見本展示用アタッチメントを備え、前記ディスプレイ台の係合穴に商品見本展示用アタッチメントの取付基台の係合部を係合させて取付けたうえで、商品見本展示用アタッチメントの保持溝にシート状商品見本の下端を装着して展示しことにより、立体状の商品見本とシート状商品見本を一つディスプレイ台に混合して展示することができる。
【００２２】
また、請求項７に係る自動販売機の商品見本展示装置は、前記請求項６に係る自動販売機の商品見本展示装置において、前記シート状商品見本は左右側縁に切欠を有することにより、シート状商品見本の左右側縁における切欠の下部側と上部側とは当該切欠によって繋がりが絶たれることから、下部側の湾曲と上部側の湾曲を切り離すことができ、下部側の湾曲状態に対して上部側の湾曲状態を抑える、つまり、シート状商品見本を保持するために下部側の湾曲の曲率を小さくした場合にも上部側の湾曲の曲率を大きくしてシート状商品見本を見やすく展示することができる。
【図面の簡単な説明】
【００２３】
【図１】本発明の実施の形態に係る自動販売機の商品見本展示装置を示し、（ａ）はディスプレイ台の要部斜視図、（ｂ）は商品展示用アタッチメントとシート状商品見本とを分解したディスプレイ台の要部斜視図である。
【図２】図１に示したディスプレイ台を示し、（ａ）はディスプレイ台の分解斜視図、（ｂ）は（ａ）の右端側の拡大斜視図である。
【図３】図１に示した商品展示用アタッチメントを示し、（ａ）は前方斜め上方から見た斜視図、（ｂ）は後方斜め下方から見た斜視図、（ｃ）は平面図である。
【図４】図１に示したシート状商品見本の変形例を示す正面図である。
【図５】図１に示した商品展示用アタッチメントの変形例を示す平面図である。
【図６】図１に示した商品展示用アタッチメントの異なる変形例を示し、（ａ）は商品展示用アタッチメントをディスプレイ台に取付けた状態の要部斜視図、（ｂ）は商品展示用アタッチメントの斜視図である。
【図７】本発明が対象とする自動販売機の一例を示す斜視図である。
【発明を実施するための形態】
【００２４】
以下、本発明の実施の形態に係る自動販売機の商品見本展示装置について添付図面を参照して説明する。なお、本発明の実施の形態に係る自動販売機の商品見本展示装置が従来装置と相違する点は特にディスプレイ台の周辺であり、ここでは従来装置と相違するディスプレイ台の周辺について説明することとし、また、自動販売機の全体構成は図７に示したものと同一であるので適宜図７を参照しつつ説明を行う。
【００２５】
図１において、１はディスプレイ台であり、このディスプレイ台１は鋼板製の固定部材２と商品載置台３とからなる。前記固定部材２は商品載置台３を支持する腕木としてのブラケット２１（図２参照）を有し、当該ブラケット２１が中扉６０（図７参照）に係止固定されている。４は液晶ディスプレイ（ＬＣＤ）を備えた商品情報デジタルディスプレイであり、商品載置台３に載置された複数の商品見本８０若しくは後述するシート状商品見本８１に対応して当該商品見本８０のコールド，ホット状態を表す冷温表示および商品価格の液晶表示部４１を備えている。５は左右方向に延在する鋼板製の取付金具であり、前記固定部材２にねじ止めされて商品情報デジタルディスプレイ４の下端を保持するものである。
【００２６】
前記固定部材２は、図２に示すように左右のブラケット２１を天板２２により連結してなり、天板２２には複数の開口２２１が形成されるとともに天板２２の前縁には前方斜め上方に折り曲げられた係止片２２２が設けられている。前記固定部材２の左右のブラッケット２１は左右対称であるので、ここでは正面視右側のブラケット２１を代表として説明する。前記ブラッケット２１には上面に向けて開放した挿脱溝部２１ａが形成されるとともに前縁に商品情報デジタルディスプレイ４を係止する係止部２１ｂ、およびねじＳが螺合するねじ穴２１ｃが形成されている。前記ブラケット２１の後縁には内方に向けて折り曲げられた後壁２３（図２の（ａ）参照）が形成され、この後壁２３に切起しにより係止片２３１が形成されている。この係止片２３１を中扉６０（図７参照）に設けた係止穴に嵌合させることにより固定部材２が中扉６０に係止固定される。
【００２７】
前記商品載置台３は、図２に示すように、上面壁３１の両端から下方に延在された左右側壁３２を備えてなり、上面壁３１には商品見本８０を嵌合保持する係合穴３１１が左右方向に複数並設されている。前記商品載置台３の左右側壁３２は左右対称であるので、ここでは正面視右側の側壁３２を代表として説明する。前記側壁３２には、前方斜め下方向に開放した切欠３３が形成されている。また、前記側壁３２には内側に向けて切起した当接片３４が形成されている。
【００２８】
前記商品情報デジタルディスプレイ４は、図２に示すように、液晶表示部４１が実装された回路基板を内蔵する横長のデジタル表示ユニット４２の前面に白色塗装が施された化粧枠４３を組付けてなるものである。前記化粧枠４３には液晶表示部４１に対応する箇所に窓４３１が形成されており、化粧枠４３の上端部は後方斜め下方に向けて傾斜した係合片４３２が形成されている。この係合片４３２は固定部材２の天板２２に形成された係止片２２２に係合するものである。なお、図２の（ｂ）に示すように、化粧枠４３の前面から側方寄りには切り起こしにより係止爪４３３が形成されている。図示は省略したが、化粧枠４３の左端側にも前記係止爪４３３と向う合うように係止爪が切り起こしにより形成されているものである。これらの係止爪４３３により化粧枠４３の前面に配備された横長帯状の透明なカバー部材４４が保持されているものである。前記透明なカバー部材４４は、デジタル表示ユニット４２の液晶表示部４１を保護するものである。
【００２９】
前記取付金具５は縦断面が略Ｌ字形に形成された鋼板製になり、白色塗装が施されている。また、前記取付金具５の前面側の板面（Ｌ字形における長辺側の板面）には階段状の段差部５１（図２の（ｂ）参照）が形成されているとともにねじＳが挿通するねじ挿通穴５２が穿孔されている。
【００３０】
次に、ディスプレイ台１の組立てについて説明すると、まず、左右一対の固定部材２を中扉６０（図７参照）に取付ける。この固定部材２の中扉６０への取付けは、左右ブラケット２１の後壁２３に切起しにより形成された係止片２３１を中扉６０の所定位置に穿孔した係合穴に嵌合させることにより固定部材２が中扉６０に固着される。次いで、中扉６０に固着された固定部材２の左右ブラケット２１に対して商品載置台３を、固定部材２の上方から被せるように装着する。この場合、商品載置台３の左右側壁３２に内側に向けて切起した当接片３４を左右ブラケット２１の挿脱溝部２１ａに対峙させた上で、商品載置台３を固定部材２に被せる。そして、商品載置台３の上面壁３１が固定部材２の天板２２に当接すると、商品載置台３の左右側壁３２の当接片３４が左右ブラケット２１の挿脱溝部２１ａに嵌合した状態で固定部材２にセットされる。ここで、商品載置台３の左右側壁３２に内側に向けて切起した当接片３４が固定部材２の挿脱溝部２１ａに嵌合しているので、商品載置台３の前後方向への移動が規制される。
【００３１】
次いで、前記商品情報デジタルディスプレイ４を中扉６０（図７参照）に固着された前記固定部材２に次のように組付ける。すなわち、商品情報デジタルディスプレイ４の背面を固定部材２の左右ブラケット２１の前縁に当接させ、その際、商品情報デジタルディスプレイ４の下面を左右ブラケット２１の係止部２１ｂの上方に位置させた上で、商品情報デジタルディスプレイ４を左右ブラケット２１の前縁に沿わせた状態で商品情報デジタルディスプレイ４の下面が左右ブラケット２１の係止部２１ｂに当接するまで下方にスライドさせる。前記商品情報デジタルディスプレイ４の下面が前記係止部２１ｂに当接すると商品情報デジタルディスプレイ４が固定部材２に位置決めされるとともに前記商品情報デジタルディスプレイ４における化粧枠４３の係合片４３２が固定部材２の天板２２の前縁に形成した係止片２２２に係合する。この状態で取付金具５を、その段差部５１が商品情報デジタルディスプレイ４の下面に沿うように配設し、ねじＳにより左右ブラケット２１にねじ止めする。これにより、商品情報デジタルディスプレイ４が固定部材２に固定される。なお、前記固定部材２の左右ブラケット２１の中扉６０（図７参照）への固着位置を適宜定めることにより、商品情報デジタルディスプレイ４の左右端部は、当該左右ブラケット２１よりも外側に突出しているものである。
【００３２】
前述したように固定部材２に商品載置台３をセットするとともに固定部材２に商品情報デジタルディスプレイ４を取付けたディスプレイ台１には、図１に示すように、商品載置台３に載置された立体状の商品見本８０とシート状商品見本８１が起立姿勢で展示されている。シート状商品見本８１は可撓性の薄いプラスチックシートに商品の外観意匠を印刷した矩形平板状の透明若しくは半透明のシートからなるものである。このシート状商品見本８１は本発明に係る商品見本展示用アタッチメント６を介してディスプレイ台１に載置されるが、これについては後述する。そして、ディスプレイ台１の前面に位置する商品情報デジタルディスプレイ４における各液晶表示部４１にそれぞれの商品見本８０，８１のコールド，ホット状態を表す冷温状態および商品価格が表示される。なお、商品情報デジタルディスプレイ４の下端を保持する取付金具５は、図７に示したディスプレイ室５０の前面の透明板４０に設けられた商品選択ボタンユニット９０の背後に位置しており、自動販売機の正面からは商品選択ボタンユニット９０に隠れて見えないようになっている。
【００３３】
さて、シート状商品見本８１を起立姿勢でディスプレイ台１に展示するための商品見本展示用アタッチメント６について図３を用いて説明する。前記商品見本展示用アタッチメント６は、矩形平面を有する取付基台６１と、この取付基台６１の前面に連なる保持部６２からなる透明なプラスチック成形品である。前記取付基台６１は、左右幅が前記商品載置台３の係合穴３１１（図２参照）よりも大きく、前後幅が前記商品載置台３の前後幅と前記商品情報デジタルディスプレイ４の前後幅を加えた幅に相当する矩形平板として形成され、矩形平板の左右端部から背面側に延在する左右側壁６１１，６１１を有するとともに矩形平面の背面側には３個の係止片６１２，６１３，６１４が設けられている。３個の係止片６１２，６１３，６１４のうち、前方側に位置する係止片６１２の先端には前方に向けて延在するフックが形成され、後方側の左右の係止片６１３，６１４の先端部には外方を向いたフックが形成されている。前記左右側壁６１１，６１１は、前記商品情報デジタルディスプレイ４の頭部が商品載置台３よりも上方に突出（図１参照）することから取付基台６１の矩形平面を前記商品情報デジタルディスプレイ４の頭部に一致させるためである。また、３個の係止片６１２，６１３，６１４は商品載置台３に形成した商品見本８０の係合穴３１１（図２参照）に周縁に対応する位置にそれぞれ設けられている。この３個の係止片６１２，６１３，６１４が、請求項１における係合部を構成する。前記取付基台６１の前面に連なる保持部６２は前方側に凸の湾曲状に形成されており、その湾曲に沿って一条の保持溝６２１が形成されている。前記保持溝６２１には薄いシート状商品見本８１が挿入され、当該シート状商品見本８１を保持するように構成されている。この薄いシート状商品見本８１を保持するために保持溝６２１の溝幅は微小間隙として形成せねばならない。このため、前記保持溝６２１の内壁は互い違いに噛み合う鋸歯状に形成され、両者の鋸歯の先端の間に微小間隙が生じるように構成されている。
【００３４】
次に、前記商品見本展示用アタッチメント６の商品載置台３への取付けについて説明する。前記商品見本展示用アタッチメント６は商品載置台３の上方から取付基台６１が係合穴３１１を覆うように被せる。その際、係止片６１２の前方に向けて延在するフックを商品載置台３の係合穴３１１に挿通させたうえでフックを係合穴３１１の周縁背壁に潜り込ませるように前方に移動させて係止片６１２を係合穴３１１の周縁に当接させる。このとき、左右の係止片６１３，６１４の先端部に設けたフックの外縁が係合穴３１１の上面側周縁に当接し、商品見本展示用アタッチメント６は後端側が僅かに浮き上がった姿勢となっている。この状態から商品見本展示用アタッチメント６の後端側に下方に向かう力を加えると、左右の係止片６１３，６１４の先端部に設けたフックが係合穴３１１に押し込まれる、つまり、左右の係止片６１３，６１４が係合穴３１１の内方側に撓む。そして、前記フックが係合穴３１１を乗り越えると左右の係止片６１３，６１４が元の状態に復元してフックが係合穴３１１の周縁背壁に係止される。このとき、取付基台６１の左右側壁６１１，６１１は商品載置台３に当接する。なお、商品見本展示用アタッチメント６を商品載置台３に装着する際、取付基台６１の前面に連なる保持部６２が商品情報デジタルディスプレイ４の頭部に当接して支障が生じるが、商品見本展示用アタッチメント６がプラスチック成形品からなることにより取付基台６１が撓むことにより、前記障害は回避されるものである。
【００３５】
前記商品載置台３に装着された商品見本展示用アタッチメント６の保持部６２における保持溝６２１にはシート状商品見本８１が挿入される。この場合、シート状商品見本８１は下端の一部のみが保持溝６２１に挿入された状態で保持部６２に保持されることとなるが、保持溝６２１が湾曲していることからシート状商品見本８１も保持溝６２１の湾曲に倣って横断面が前方側に凸となるように湾曲した状態で起立する。このように、シート状商品見本８１を湾曲させて保持することにより剛性が高められ、薄いプラスチックシートからなるシート状商品見本８１を安定した起立姿勢に維持することができる。そして、商品見本展示用アタッチメント６が商品載置台３の複数の係合穴３１１ごとに装着するように構成されているので、当該商品見本展示用アタッチメント６を複数の係合穴３１１の適宜位置に装着することにより、シート状商品見本８１と立体状の商品見本８０を同一のディスプレイ台１に並べて展示することができるものである。
【００３６】
前記実施の形態においては、シート状商品見本８１が矩形平板状に形成されたものついて説明したが、このような矩形平板状のシート状商品見本８１の下端を湾曲させた際、シート状商品見本８１の全体が湾曲してしまうことがある。このように、シート状商品見本８１の全体が湾曲することを回避するために図４に示すようなシート状商品見本を用いることができる。すなわち、図４に示すように、シート状商品見本８２は左右側縁の下部側に切欠８２１を有している。このように、切欠８２１を有するシート状商品見本８２の下端を湾曲させる、つまり、前記商品見本展示用アタッチメント６の保持溝６２１に挿入した場合、シート状商品見本８２の切欠８２１よりも下部側は保持溝６２１の湾曲に倣って湾曲（曲率の小さい湾曲）するが、前記切欠８２１によって下部側との繋がりが一部絶たれた切欠８２１よりも上部側の湾曲は下部側の湾曲に対して比較的小さくなる（曲率の大きな湾曲となる）。このように、切欠８２１を形成することによりシート状商品見本８２の湾曲を抑えることができる一方、切欠８２１よりも下部側は保持溝６２１の湾曲に倣って湾曲することから薄いプラスチックシートからなるシート状商品見本８２を安定して起立姿勢に維持することができる。なお、切欠８２１は複数個形成することもでき、また、切欠８２１の形状は角型に限らず湾曲形状とすることもでき、さらに、切欠８２１に代えて切り込みを入れることもできるものである。
【００３７】
次に、図５は、前記商品見本展示用アタッチメント６の変形例を示す。図５に示す商品見本展示用アタッチメント６Ａが前記実施の形態における商品見本展示用アタッチメント６と相違する点は保持溝６２１Ａの溝構成であり、その他の構成については同一であるので、図５では商品見本展示用アタッチメント６Ａの平面を表している。図において、６１Ａは矩形平面を有する取付基台であり、６２Ａは前記取付基台６１Ａの前面に連なる保持部であり、これらの取付基台６１Ａと保持部６２Ａからなる商品見本展示用アタッチメント６Ａは透明なプラスチック成形品として形成されている。前記保持部６２Ａに形成された一条の保持溝６２１Ａは、前記実施の形態の保持溝６２１と同様にその内壁に互い違いに噛み合うように鋸歯状に形成されている。この保持溝６２１Ａが前記実施の形態の保持溝６２１と相違する点は次のとおりである。すなわち、前記保持溝６２１Ａは、その内壁に互い違いに噛み合うように形成された鋸歯のうち、少なくとも保持溝６２１Ａの左右端部６２２，６２２と中央部６２３における対向する鋸歯の先端の間の間隔Ｌ１をシート状商品見本８１，８２の厚みと略一致する狭幅とし、他の領域における対向する鋸歯の先端の間の間隔Ｌ２をシート状商品見本８１，８２の厚みに対して比較的広い広幅として構成されている。
【００３８】
ここで、前記実施の形態における商品見本展示用アタッチメント６の保持部６２における保持溝６２１は、全域に亘って一様の微小間隙が生じるように構成、つまり、一条の保持溝６２１の隙間寸法が全域に亘って一定の微小間隙が生じるように構成されているが、この場合にはシート状商品見本８１，８２の挿入に手間がかかるものである。すなわち、保持溝６２１の隙間寸法はシート状商品見本８１，８２を保持するためにシート状商品見本８１，８２の厚さと略同一の微小間隙として形成されているとともに、一条の保持溝６２１が湾曲していることから、シート状商品見本８１，８２を保持溝６２１に沿って湾曲させつつ挿入せねばならない。このため、シート状商品見本８１，８２の保持溝６２１への挿入に手間がかかり、煩わしい作業となる。かかる点、図５に示す商品見本展示用アタッチメント６Ａの保持溝６２１Ａは、シート状商品見本８１，８２の厚みと略一致する間隔Ｌ１の狭幅の溝が分散して形成される一方、狭幅の溝を除く他の溝がシート状商品見本８１，８２の厚みに対して比較的広い間隔Ｌ２の広幅の溝として形成されていることから、分散された狭幅の溝にシート状商品見本８１，８２を挿入すればよい。したがって、シート状商品見本８１，８２の保持溝６２１Ａへの挿入が頗る容易となるので、シート状商品見本８１，８２の保持溝６２１Ａへの挿入作業を簡単にすることができる。しかも、分散された狭幅の溝によってシート状商品見本８１，８２を保持するので、シート状商品見本８１，８２を湾曲した状態に維持することができ、薄いプラスチックシートからなるシート状商品見本８１，８２を安定した起立姿勢で展示することができる。
【００３９】
次に、図６は、商品見本展示用アタッチメント６の異なる変形例を示す。図６に示す商品見本展示用アタッチメント６Ｂが前記実施の形態における商品見本展示用アタッチメント６と相違する点は、図６の（ｂ）に示すように、矩形平面からなる取付基台６１Ｂに立体状の商品見本８０を嵌合保持する係合穴部６１０を設けた点であり、その他の構成については同一である。図６の（ａ）はディスプレイ台１に取付けられた商品見本展示用アタッチメント６Ｂに立体状の商品見本８０を展示した状態の斜視図であり、図６の（ｂ）は商品見本展示用アタッチメント６Ｂの斜視図である。
【００４０】
図に示すように、商品見本展示用アタッチメント６Ｂは、矩形平面を有する取付基台６１Ｂと、この取付基台６１Ｂの前面に連なり、一条の保持溝６２１Ｂが形成された保持部６２Ｂとからなり、透明なプラスチック成形品として形成されている。前記商品見本展示用アタッチメント６Ｂの形平面を有する取付基台６１Ｂには、図６の（ｂ）に示すように、係合穴部６１０が形成されている。この係合穴部６１０は、従来から良く知られているように、立体状の商品見本８０の底部に形成した嵌合部（不図示）と係合するように構成されている。なお、前記保持部６２Ｂに形成された一条の保持溝６２１Ｂは、前記実施の形態の保持溝６２１と同様にその内壁に互い違いに噛み合うように鋸歯状に形成されている。また、前記取付基台６１Ｂの背面には、矩形平板の左右端部から背面側に延在する左右側壁６１１Ｂ，６１１Ｂを有するとともに矩形平面の背面側には３個の係止片６１２Ｂ，６１３Ｂ，６１４Ｂが設けられている点も前記実施の形態と同一である。
【００４１】
前記商品見本展示用アタッチメント６Ｂのディスプレイ台１への取付けは、前記実施の形態と同様に、前記商品見本展示用アタッチメント６Ｂを商品載置台３（図２参照）の上方から係合穴３１１を覆うように被せ、その際、係止片６１２Ｂの前方に向けて延在するフックを商品載置台３の係合穴３１１に挿通させたうえでフックを係合穴３１１の周縁背壁に潜り込ませるように前方に移動させて係止片６１２を係合穴３１１の周縁に当接させたうえで、商品見本展示用アタッチメント６Ｂの後端側に下方に向かう力を加えて、左右の係止片６１３，６１４の先端部に設けたフックを係合穴３１１に押し込んで係合穴３１１の周縁背壁に係止させる。このようにしてディスプレイ台１に取付けられた商品見本展示用アタッチメント６Ｂの係合穴部６１０には立体状の商品見本８０が嵌合保持される。前記商品見本展示用アタッチメント６Ｂの係合穴部６１０に立体状の商品見本８０を嵌合保持して展示した状態を図６の（ａ）に示している。ここで、前記商品見本展示用アタッチメント６Ｂは、透明なプラスチック成形品として形成されているので、ディスプレイ台１の内部に設けた蛍光灯などの照明光源（不図示）からの光を、ディスプレイ台１の係合穴３１１（図２参照）を介して商品見本８０の底部に形成した光導入部（不図示）を通して商品見本８０の内部に照射することが可能となり、ディスプレイ台１の係合穴３１１に直接嵌合保持された立体状の商品見本８０と同様に、商品見本８０が内部からの照明によって発光しているように展示することができるものである。
【００４２】
さて、シート状商品見本８１（図１参照）を展示するためにディスプレイ台１に取付けた商品見本展示用アタッチメント６Ｂの部位に立体状の商品見本８０を展示しようとする場合、つまり、シート状商品見本８１に代えて立体状の商品見本８０を展示する場合、前記商品見本展示用アタッチメント６Ｂをディスプレイ台１から取外せばディスプレイ台１に係合穴３１１（図２参照）が露出することから、当該係合穴３１１に立体状の商品見本８０を嵌合保持させることができるので、前記商品見本展示用アタッチメント６Ｂに係合穴部６１０を形成する必要がないと考えられる。しかしながら、前記商品見本展示用アタッチメント６Ｂをディスプレイ台１から取外した場合、当該商品見本展示用アタッチメント６Ｂの保管が面倒であるという問題がある。すなわち、前記商品見本展示用アタッチメント６Ｂのディスプレイ台１からの取外し作業は、現地（自動販売機の設置場所）で行われることから、取外した商品見本展示用アタッチメント６Ｂを持ち帰って保管せねばならないので、手間がかかるという問題を有する。また、取外した商品見本展示用アタッチメント６Ｂを自動販売機内に保管することも考えられるが、自動販売機内に保管場所を確保せねばならないとともに自動販売機内に保管されていることを表示しておかねば忘れ去られるおそれがある。かかる点、この変形例のように、ディスプレイ台１に取付けた商品見本展示用アタッチメント６Ｂに立体状の商品見本８０を展示することが可能であれば商品見本展示用アタッチメント６Ｂをディスプレイ台１から取外す必要がないので、前述した煩わしさをなくすことができるものである。
【００４３】
さらに、ディスプレイ台１に取付けた商品見本展示用アタッチメント６Ｂに立体状の商品見本８０を展示した場合、商品見本展示用アタッチメント６Ｂからシート状商品見本８１が取外されて商品見本展示用アタッチメント６Ｂの保持部６２が空き状態となるので、前記保持部６２に広告宣伝用の表示部材（不図示）を装着することができる。この場合、前記表示部材は、シート状商品見本８１と同様に可撓性の薄い透明なプラスチックシートからなり、「新発売」などの広告、若しくはキャラクターなどを表示したものである。このように、商品見本展示用アタッチメント６Ｂの保持部６２に表示部材を装着することにより販売促進を図ることが可能となる。
【００４４】
前述したように本発明の実施の形態に係る商品見本展示用アタッチメント６，６Ａ，６Ｂによれば、立体状の商品見本８０を嵌合保持する複数の係合穴３１１を有するディスプレイ台１に取付けられる商品見本展示用アタッチメント６，６Ａ，６Ｂであって、前記ディスプレイ台１の係合穴３１１に係合する係合部（係止片６１２，６１３，６１４、係止片６１２Ｂ，６１３Ｂ，６１４Ｂ）を有する取付基台６１，６１Ａ，６１Ｂ、及び前記取付基台６１，６１Ａ，６１Ｂに連なり平板状に復元可能な可撓性を有するシート状商品見本８１，８２の下端を保持する一条の保持溝６２１，６２１Ａ，６２１Ｂを有し、かつ、前記一条の保持溝６２１，６２１Ａ，６２１Ｂを前方側に凸となるように湾曲状に形成した保持部６２，６２Ａ，６２Ｂとからなり、前記保持溝６２１，６２１Ａ，６２１Ｂに挿入されたシート状商品見本８１，８２の下端をその湾曲に倣って前方側に凸となるように湾曲させた状態で保持することによりシート状商品見本８１，８２を起立姿勢に維持して展示することにより、前記保持溝６２１，６２１Ａ，６２１Ｂに下端を装着されたシート状商品見本８１，８２は、保持溝６２１，６２１Ａ，６２１Ｂの湾曲に倣って湾曲するので、シート状商品見本８１，８２が可撓性の薄いプラスチックシートからなる場合にもその剛性を高めることができ、シート状商品見本８１，８２を安定した起立姿勢で展示することができるものである。
【００４５】
また、本発明の実施の形態に係る自動販売機の商品見本展示装置によれば、本体キャビネット１０の前面を開閉する外扉２０に形成されたディスプレイ室５０内に配設され、立体状の商品見本８０を嵌合保持する複数の係合穴３１１を有するディスプレイ台１と、前記ディスプレイ台１の係合穴３１１に係合する係合部（係止片６１２，６１３，６１４、係止片６１２Ｂ，６１３Ｂ，６１４Ｂ）を有する取付基台６１，６１Ａ，６１Ｂ、及び前記取付基台６１，６１Ａ，６１Ｂに連なり平板状に復元可能な可撓性を有するシート状商品見本８１，８２の下端を保持する一条の保持溝６２１，６２１Ａ，６２１Ｂを有し、かつ、前記一条の保持溝６２１，６２１Ａ，６２１Ｂを前方側に凸となるように湾曲状に形成した保持部６２，６２Ａ，６２Ｂとからなり、前記保持溝６２１，６２１Ａ，６２１Ｂに挿入されたシート状商品見本８１，８２の下端をその湾曲に倣って前方側に凸となるように湾曲させた状態で保持することによりシート状商品見本８１，８２を起立姿勢に維持して展示する商品見本展示用アタッチメント６，６Ａ，６Ｂを備え、前記ディスプレイ台１の係合穴３１１に商品見本展示用アタッチメント６，６Ａ，６Ｂの取付基台６１，６１Ａ，６１Ｂの係合部（係止片６１２，６１３，６１４、係止片６１２Ｂ，６１３Ｂ，６１４Ｂ）を係合させて取付けたうえで、商品見本展示用アタッチメント６，６Ａ，６Ｂの保持溝６２１，６２１Ａ，６２１Ｂにシート状商品見本８１，８２の下端を装着して展示したことにより、立体状の商品見本８０とシート状商品見本８１，８２を一つディスプレイ台１に混合して展示することができるものである。
【００４６】
なお、上記実施の形態においては、保持溝６２１，６２１Ａ，６２１Ｂが一条の連続した溝からなる形態について説明したが、例えば、保持溝６２１，６２１Ａ，６２１Ｂが連続しておらずに細切れに分散されたものであってもよく、また、溝の代わりに複数の突起を並設して微小間隙を形成することもできる。したがって、一条の保持溝６２１，６２１Ａ，６２１Ｂとはシート状商品見本８１，８２を湾曲した状態で保持できるものを総称するものであり、前述した実施の形態によりこの発明が限定されるものではない。
【符号の説明】
【００４７】
１…ディスプレイ台、２…固定部材、３…商品載置台、４…商品情報デジタルディスプレイ、５…取付金具、６，６Ａ，６Ｂ…商品見本展示用アタッチメント、１０…本体キャビネット、２０…外扉、３０…内扉、４１…液晶表示部、４２…デジタル表示ユニット、５０…ディスプレイ室、６０…中扉、６１，６１Ａ，６１Ｂ…取付基台、６２，６２Ａ，６２Ｂ…保持部、８０…（立体状の）商品見本、８１…シート状商品見本、３１１…係合穴、６１０…係合穴部、６２１，６２１Ａ，６２１Ｂ…保持溝、８２１…切欠。
【図１】
0005780031.tif 000002
【図２】
0005780031.tif 000003
【図３】
0005780031.tif 000004
【図４】
0005780031.tif 000005
【図５】
0005780031.tif 000006
【図６】
0005780031.tif 000007
【図７】
0005780031.tif 000008